(57)【要約】      （修正有）【課題】植木の根元の周辺に雑草が生える事を防止する雑草防護具を提供する。【解決手段】植木の根元１０の周辺を覆う任意の形状のパネルは、植木の根元１０を貫通させる中心孔１２を有し、中心孔１２を通過する分割線１４により複数のパーツ１６に分離してなる。各パーツ１６は、地面に接する支持縁部１８と、壁２０とを備える。壁２０は、支持縁部１８を除いて地面との間に空隙を形成するようにして植木の根元１０周辺を覆う。この壁２０には、表面から裏面まで貫通する通気孔２２を設ける。この通気孔２２は、雑草の葉と比較して十分に小径のもので、多数設ける。複数のパーツ１６に分離したので、形状が一定のものに比べて地面を最適な範囲で覆うように調節ができる。さらに、植木の成長に合わせて、各パーツ１６を別個に移動させて、地面を覆う範囲を変更することができる。【選択図】図１
0003155381.tif 000002
【実用新案登録請求の範囲】
【請求項１】
植木の根元周辺を覆う任意の形状のパネルであって、前記植木の根元を貫通させる中心孔を有し、このパネルは、前記中心孔を通過する分割線により複数のパーツに分離されており、
前記各パーツは、地面に接する支持縁部と、前記支持縁部を除いて前記地面との間に空隙を形成するようにして前記植木の根元周辺を覆う壁とを備え、
この壁には、表面から裏面まで貫通する雑草の葉と比較して十分に小径の多数の通気孔とを備えたことを特徴とする雑草防護具。
【請求項２】
請求項１に記載の雑草防護具において、
一方の前記パーツと他方の前記パーツとが、分割線の近傍において、互いにほぼ隙間無く重なり合うように、各パーツの分割線近傍に重合部を設けたことを特徴とする雑草防護具。
【請求項３】
請求項１または２に記載の雑草防護具において、
前記パーツ本体の壁の裏面には、地面に接してパーツを支える複数のリブ状の支持縁部が設けられていることを特徴とする雑草防護具。
【請求項４】
請求項２乃至３のいずれかに記載の雑草防護具において、
前記二枚のパーツが、それぞれ前記分割線の中央部分に「く」字状の切り欠きを備え、前記重合部に挟まれるように、正方形もしくは菱形の中心孔を形成していることを特徴とする雑草防護具。
【請求項５】
請求項２乃至４のいずれかに記載の雑草防護具において、
前記重合部に、前記パーツを連結固定する連結固定手段を設けたことを特徴とする雑草防護具。
【請求項６】
請求項１乃至４のいずれかに記載の雑草防護具において、
前記パネルは全体として帯状とされ、植木の根元を貫通させる複数の中心孔を持ち、前記パネルは前記全ての中心孔を通過する分割線により、分割されていることを特徴とする雑草防護具。
【請求項７】
請求項１乃至６のいずれかに記載の雑草防護具において、
前記パネルのパーツには草木の支柱を貫通させる柱孔を設けたことを特徴とする雑草防護具。
【考案の詳細な説明】
【技術分野】
【０００１】
本考案は植木の根元周辺に雑草が生えるのを防止する雑草防護具に関する。
【背景技術】
【０００２】
街路樹等の植木の根元周辺に雑草が生えるのを防止するために、周囲に蓋状のパネルを敷くことが行われている。その施工を容易にするために、一部に切り欠きを設けたドーナツ状の盤も開発されている（特許文献１）
【先行技術文献】
【特許文献】
【０００３】
【特許文献１】登録実用新案第３０４９７４０号公報
【考案の概要】
【考案が解決しようとする課題】
【０００４】
既知の従来の技術には、次のような解決すべき課題があった。
植木の根元の部分を完全に覆うと、植木の根が蒸れて根腐れを生じるといった問題がある。その対策として網状のパネルを使用した例もあるが、それでは雑草防止効果が半減する。また、パネルに設けた植木を貫通させる孔は、植木の幹の成長を妨げる。植木の成長とともに、パネルを交換しなければならない。従って、メンテナンスの手間がかかるという問題もあった。
上記の課題を解決するために、本考案は、植木の根元の部分を覆う広さを変化させることができる雑草防護具を提供することを目的とする。
【課題を解決するための手段】
【０００５】
以下の構成はそれぞれ上記の課題を解決するための手段である。
〈構成１〉
植木の根元周辺を覆う任意の形状のパネルであって、前記植木の根元を貫通させる中心孔を有し、このパネルは、前記中心孔を通過する分割線により複数のパーツに分離されており、前記各パーツは、地面に接する支持縁部と、前記支持縁部を除いて前記地面との間に空隙を形成するようにして前記植木の根元周辺を覆う壁とを備え、この壁には、表面から裏面まで貫通する雑草の葉と比較して十分に小径の多数の通気孔とを備えたことを特徴とする雑草防護具。
【０００６】
〈構成２〉
構成１に記載の雑草防護具において、一方の前記パーツと他方の前記パーツとが、分割線の近傍において、互いにほぼ隙間無く重なり合うように、各パーツの分割線近傍に重合部を設けたことを特徴とする雑草防護具。
【０００７】
〈構成３〉
構成１または２に記載の雑草防護具において、前記パーツ本体の壁の裏面には、地面に接してパーツを支える複数のリブ状の支持縁部が設けられていることを特徴とする雑草防護具。
【０００８】
〈構成４〉
構成２乃至３のいずれかに記載の雑草防護具において、前記二枚のパーツが、それぞれ前記分割線の中央部分に「く」字状の切り欠きを備え、前記重合部に挟まれるように、正方形もしくは菱形の中心孔を形成していることを特徴とする雑草防護具。
【０００９】
〈構成５〉
構成２乃至４のいずれかに記載の雑草防護具において、前記重合部に、前記パーツを連結固定する連結固定手段を設けたことを特徴とする雑草防護具。
【００１０】
〈構成６〉
構成１乃至４のいずれかに記載の雑草防護具において、前記パネルは全体として帯状とされ、植木の根元を貫通させる複数の中心孔を持ち、前記パネルは前記全ての中心孔を通過する分割線により、分割されていることを特徴とする雑草防護具。
〈構成７〉
構成１乃至６のいずれかに記載の雑草防護具において、前記パネルのパーツには草木の支柱を貫通させる柱孔を設けたことを特徴とする雑草防護具。
【考案の効果】
【００１１】
〈構成１の効果〉
分割構造のパーツにより植木の根元周辺を覆うので、手軽に設置できる。また、複数のパーツに分離されているから、形状が一定のものに比べて地面を最適な範囲で覆うように調節ができる。さらに、植木の成長に合わせて、各パーツを別個に移動させて、地面を覆う範囲を変更することができる。また、雑草の葉と比較して十分に小径の多数の通気孔を有し、支持縁部を除いて地面との間に空隙を形成しているので、雑草が生えるのを防止しつつ、植木の根元周辺の通気性を確保できる。
〈構成２の効果〉
重合部というのは、ほぼ隙間無く重なり合って、不自然な隙間ができないように、互いの接合面の形状を合わせておく部分のことである。単に平坦に重なり合う構造でもよいし、互いに嵌り合うような凹凸が設けられていても構わない。
〈構成３の効果〉
パーツ本体の壁にリブ等の支持縁部を設けると、強度と姿勢の安定化を図ることができる。
〈構成４の効果〉
中心孔の形状をバランス良く保持しながら植木の成長に合わせて中心孔を拡大できる。
〈構成５の効果〉
パーツが簡単に移動したり持ち去られたりすることがない。
〈構成６の効果〉
複数の植木を一定の間隔で並べて一括して雑草防護を図ることができる。
〈構成７の効果〉
パネルに草木の支柱を貫通させる柱孔を設けると、蔓草系の植木に適した構造になる。
【図面の簡単な説明】
【００１２】
【図１】実施例１の雑草防護具を示す図で、（ａ）は斜視図、（ｂ）はその中心を通る横断面図、（ｃ）はパーツを分離した平面図である。
【図２】実施例２の雑草防護具を示す図で、（ａ）は斜視図、（ｂ）はその中心を通る横断面図、（ｃ）は（ｂ）のＣ−Ｃ断面図、（ｄ）は重合部２４の部分の横断面図である。
【図３】雑草防護具の変形例を示す平面図である。
【図４】雑草防護具のさらに別の変形例を示す平面図である。
【図５】雑草防護具のさらに別の変形例を示し、（ａ）は平面図、（ｂ）は縦断面図である。
【考案を実施するための形態】
【００１３】
以下、本考案の実施の形態を実施例毎に詳細に説明する。
【実施例１】
【００１４】
図１は実施例１の雑草防護具を示す図で、（ａ）は斜視図、（ｂ）はその中心を通る横断面図、（ｃ）はパーツを分離した平面図である。
図の雑草防護具は、植木を貫通させた中心孔１２の周囲の、植木の根元１０を覆うように設置される。雑草防護具は中心孔１２を通る分割線１４で２分割されている。この分割方法は、３分割以上でも構わない。また、分割線は直線でなくても構わない。植木の根元１０の周辺を覆う任意の形状のパネルであってよい。中心孔１２は植木の根元１０を貫通させる形状であればよい。
【００１５】
中心孔１２を通過する分割線１４により複数のパーツ１６に分離されているので、各パーツ１６をそれぞれ個別に最適位置に設置することができる。図の（ｂ）に示すように、各パーツ１６は、地面に接する部分に支持縁部１８を有する。この例では、少し湾曲した円板状のパネルの外周部を、支持縁部１８と呼んでいる。
【００１６】
各パーツ１６は、支持縁部１８に連なり植木の根元１０を覆う壁２０を有する。支持縁部１８は地面に接している。一方、この壁２０は、地面との間に空隙を形成するようにして、植木の根元１０の周辺を覆う。この壁２０には、表面から裏面に達するように貫通した通気孔２２が設けられている。いずれの通気孔２２も、雑草の葉と比較して十分に小径のもので、壁２０に多数設けられている。各通気孔２２は、内部に日が照射しない方向、例えば、水平方向に向けられていることが好ましい。
【００１７】
図の（ｂ）の例では、左半分のパーツを設置した後に、重合部２４の部分が重なり合うように、右側半分のパーツを設置する。また、このとき、２個のパーツの重なり具合を、植木の根本１０の形状に合わせて調節できる。即ち、従来品のように、形状が一定のものに比べて地面を最適な範囲で覆うように調節ができる。特に、中心孔１２のサイズを調節できる点が便利である。
【００１８】
さらに、植木の成長に合わせて、各パーツ１６を別個に移動させて、重合部２４の部分の重なり合いを調節することができる。これにより、地面を覆う範囲を自由に変更することができる。即ち、中心孔１２のサイズを少しずつ広げることができるので、植木の成長を妨げない。支持縁部１８を除いて地面との間に空隙を形成しており、多数の通気孔２２を有しているから、植木の根元１０周辺の通気性を確保できる。特に、根元周辺の地面が防草板で押さえつけられたり通気が悪くなって根腐れが生じるといった事態を防止できる。
【００１９】
もちろん、通気孔２２が大きいと雑草がその部分から顔を出す。また、パーツ１６の内部に日が入って、雑草が生えやすい原因になる。従って、通気孔２２は雑草の葉と比較して十分に小径のものが好ましい。なお、上記のパーツは、例えば、金属、陶器等の耐候性の良いもので製造することが好ましい。例えば、金属製のパーツ１６に雑草を刈るための草刈り機の刃が衝突すると大きな音が出るので、植木の根元に傷を付ける前に、草刈り機を止めることができるといった効果もある。地面との間に空隙が存在するとこの音は大きく聞こえる。
【実施例２】
【００２０】
図２は実施例２の雑草防護具を示す図で、（ａ）は斜視図、（ｂ）はその中心を通る横断面図、（ｃ）は（ｂ）のＣ−Ｃ断面図、（ｄ）は重合部２４の部分の横断面図である。
この実施例のものは、全体として長方形をしており、その中心孔１２も長円形をしている。また、各パーツ１６の壁２０の裏面には、複数のリブ状の支持縁部１９が設けられている。このように支持縁部１９を設けると、地面に接してパーツ１６を中央で支えるから、上から踏みつけられたような場合でも、潰れない強度を保持できる。また、姿勢の安定化を図ることができる。
【００２１】
また、（ｄ）に示すれいでは、一方のパーツ１６の壁に設けられた重合部２４と、他方のパーツ１６との壁に設けられた重合部２４とが、分割線１４の近傍において、凹凸面を重ね合わせて嵌り合っている。重合部２４はほぼ隙間無く重なり合って、不自然な隙間ができないようになっている。このように構成すると、軽い衝撃でパーツが位置ずれすることがない。また、凹凸面を重ね合わせて嵌り合う状態で、重なり合う面積が異なる状態を何種類か設けておくと、見栄えの良い重ね合わせを保持したまま、重なり具合を簡単に変更できる。
【００２２】
図３は、雑草防護具の変形例を示す平面図である。
図の（ａ）〜（ｄ）に示すように、ように，雑草防護具は全体として円形、多角形、長方形、三角形等、自由な形状に設計することができる。また、図の（ｄ）に示すように、その中心孔１２の形状も、植木の種類や庭園設計に合わせて自由に変形することができる。さらに、図の（ｅ）に示すように、二枚のパーツ１６がそれぞれ分割線１４の中央部分に「く」字状の切り欠きを備え、重合部２４に挟まれるように、ほぼ正方形あるいは菱形の中心孔１２を形成できる。ここで、重合部２４の幅を少しずつ変えていくと、中心孔１２が相似形の状態でその面積を拡大していく。従って、中心孔の形状をバランス良く保持しながら植木の成長に合わせて中心孔を拡大できる。
【実施例３】
【００２３】
図４は、雑草防護具のさらに別の変形例を示す平面図である。
図の（ａ）に示すように、この実施例では、２枚のパーツ１６によって、全体として長方形の植木の根元１０を形成している。これにより、横に並んだ植木の間の雑草を隙間無く抑制できる。また、２枚のパーツ１６は例えば、重合部２４に設けた連結ボルト２６等の連結固定手段によって連結され、しっかりと固定されているから、衝撃で簡単に移動したり、あるいは不用意に取り去られたりする心配がない。ボルト孔を複数設けておき、連結ボルト２６の位置を変更して、中心孔１２の大きさを変更できるようにしておくとよい。
【００２４】
また、図の（ｂ）に示す例では、パネルは全体として帯状とされている。そして、植木の根元を貫通させる複数の中心孔１２を持つ。植木はこの間隔で植えられている。パネルは全ての中心孔１２を通過する分割線により、２分割されている。両者は、（ａ）の例と同様に、連結ボルト２６を用いて連結固定されている。この場合には、連結ボルト２６の位置を変更して、複数の中心孔１２の大きさを同時に変更できる。
【００２５】
なお、図の（ａ）のＣ−Ｃ線に沿う縦断面を（ｃ）に示した。また、図の（ｂ）のＤ−Ｄ線に沿う縦断面を（ｅ）に示した。いずれの場合でも、支持縁部１８の部分が地面に食い込むので、連結ボルト２６によりパーツ１６の全体を一体化しておくと、少しの衝撃では位置が移動することはない。しかも、パーツ１６に設けた多数の通気孔２２により、パーツ１６に覆われた植木の根の部分に十分に酸素が供給される。さらに、パーツ１６の下側の空間に雑草２８が生えると、その先は必ず通気孔２２から顔を出す。パーツ１６の下側に空間があるので、中心孔１２からパーツ１６の裏側に刃物３０等を差し込んで、簡単に一気に除去できる。通気孔２２から顔を出せなくなった雑草２８は枯れてしまう。従って、このよう断面形状にすることで、きわめて実用的な雑草防護具を完成することができた。
【００２６】
図５は、雑草防護具のさらに別の変形例を示し、（ａ）は平面図、（ｂ）は縦断面図である。
蔓草系の植木は自立することができないから支柱を設ける必要がある。しかし、植木の根元をパネルで覆っていると、支柱を立てることができない。そこで、この実施例では、パネルのパーツ１６に、草木の支柱３４を貫通させる柱孔３２を設けた。柱孔３２は柱を貫通させることができる貫通孔であればよく、その形状は任意である。また、その数も任意である。しかし、多すぎると雑草が生える原因になる。従って、図の実施例のように、パーツのひとつに一個だけ設けるのが最もよい。
【符号の説明】
【００２７】
１０  植木の根元
１２  中心孔
１４  分割線
１６  パーツ
１８  支持縁部
２０  壁
２２  通気孔
２４  重合部
２６  ボルト
２８  雑草
３０  刃物
３２  柱孔
３４  支柱
【図１】
0003155381.tif 000003
【図２】
0003155381.tif 000004
【図３】
0003155381.tif 000005
【図４】
0003155381.tif 000006
【図５】
0003155381.tif 000007